(57)【要約】  【課題】持ち運びや保管時に元の扁平な板材で処理できて取扱が非常に便利なシール部材を得る。  【解決手段】 側壁２４に囲まれた本体の収容室２０内に、回路部品を実装した基板６を収容してなる箱型の筐体２を備えた電子機器に関する。基板を絶縁するために、薄板状で透明のシール部材６１を折り曲げて、基板６を包囲してシールする。  この折り畳み型のシール機構は、少なくとも前面部と両側面部および背面部で形成される四面体の箱形に成形される。そして、シール部材により、収容室内に層状に重ねて収容される複数の基板における上層部の基板を包囲して下層基板上に載置する。また、筐体の側壁から収容室内に突出するリブを設けて、そのリブを成形されたシール部材の側面部に接触させることで、シール部材が復元して開くのを防止する。【選択図】図５
2004304207.tif 000002
【特許請求の範囲】
【請求項１】
側壁に囲まれた本体の収容室内に底板に沿って回路部品を実装した基板を収容してなる箱型の筐体を備えた電子機器であって、
薄板状のシール部材を折り曲げて、前記基板を包囲してシールするシール機構を備えたことを特徴とする電子機器。
【請求項２】
前記シール機構は、少なくとも前面部と両側面部および背面部で形成される四面体の箱形に成形されることを特徴とする請求項１記載の電子機器。
【請求項３】
前記シール部材にリード線が導出される切欠部を設け、前記シール部材により、前記収容室内に層状に重ねて収容される複数の基板における上層部の基板を包囲して下層基板上に載置してシールするシール機構を備えたことを特徴とする請求項２に記載の電子機器。
【請求項４】
前記筐体の側壁から収容室内に突出するリブを設けて、該リブを前記成形されたシール部材の側面部に接触させ、折り曲げられたシール部材の復元を阻止することを特徴とする請求項２または請求項３に記載の電子機器。
【請求項５】
前記シール部材に透明材を用いたことを特徴とする請求項１乃至請求項４の何れかに記載の電子機器。
【請求項６】
内壁面に突出して対向する対構造の挾持片を設け、該対構造の挾持片における対向面の等高位置に挾持溝を形成し、該挾持溝により前記基板を挾持することを特徴とする請求項１記載の電子機器。
【請求項７】
前記対構造の挾持片の一方の背面側に三角形の補強翼を形成すると共に、他方の背面側に凹弧状の補強翼を形成したことを特徴とする請求項６に記載の電子機器。
【発明の詳細な説明】
【技術分野】
【０００１】
近時、多階層の建築物で構成された集合住宅には、全階層の住戸毎に住宅情報盤を設置してインターホン機能と防災や防犯等のセキュリティ機能を有する集合住宅システムが採用されている。各住戸に設置された住宅情報盤には、中継機能付きドアホンを介して天井面の火災感知器が接続される。また、住宅情報盤にはモニタ装置も付設されて、同一住宅棟の共同玄関に設けられた集合玄関機や各棟内の管理室等に設置された通話制御装置や映像制御装置等にも接続される。そして、各階層の住戸の居住者は自宅に設置された住宅情報盤を利用して、来訪者や管理室と通話を行うことができ、また火災時などには、防災に関する情報の授受が行なわれる。
【０００２】
本発明は、電子機器に係り、さらに詳しくは、例えば上述したような集合住宅システムにおける住宅情報盤に付設されるモニタ装置のような電子機器に関するものである。
【背景技術】
【０００３】
前記のように、この種の集合住宅システムのモニタ装置を付設した住宅情報盤は、同一棟内の集合玄関機や通話制御装置或いは映像制御装置等に接続される。住宅情報盤に付設されるモニタ装置の前面の表示窓内には、集合玄関機のカメラの撮影した映像信号を受信して表示するための液晶表示器等の表示器が取り付けられる。また、筐体の内部の収容室には液晶表示器を制御するための制御基板等を構成するプリント基板が収容される。
【０００４】
【特許文献１】特開平９−１４８７６５号公報
【発明の開示】
【発明が解決しようとする課題】
【０００５】
モニタ装置には映像用の液晶表示器が取り付けられているが、普通このような表示器の取付構造には表示器を囲む角形の取付用のフレームを作ってネジ止めするような構造に設計することが多い。また、制御基板を構成するプリント基板の取付けには、筐体の樹脂成型時に取付面に一体成型した円柱状のネジボスが従来から一般的に利用されている。
【０００６】
モニタ装置等の表示器の取付に従来のように取付用のフレームを利用すると、余分な取付部材が必要になって部品点数がそれだけ増え組立工数も増加することになる。
【０００７】
本発明は、上述のような従来の電子機器の問題点を解消するためになされたもので、ネジボスを可能な限り少なくして固定構造を簡単にすると共に、小型な基板にはネジボスの利用を避けて組立を簡素化するようにしたものである。
【０００８】
特に、着脱が容易でほぼ全周を包囲して保護できる電源基板用のカバーを備えた電子機器を実現するようにしたものである。また、対構造の係止片の補強用の翼片を異なる構造にして可撓性に差を設け、組み付け時における一方の係止片の変位量を大きくして折損を防止するようにした。
【課題を解決するための手段】
【０００９】
本発明は、側壁に囲まれた本体の収容室内に底板に沿って回路部品を実装した基板を収容してなる箱型の筐体を備えた電子機器であって、薄板状のシール部材を折り曲げて基板を包囲してシールするシール機構を備えた電子機器を構成したものである。またそのシール機構を、少なくとも前面部と両側面部および背面部で形成される四面体の箱形に成形したものである。また、前記シール部材にリード線が導出される切欠部を設け、シール部材により、収容室内に層状に重ねて収容される複数の基板における上層部の基板を包囲して下層基板上に載置してシールするシール機構を備えた電子機器を構成したものである。また、筐体の側壁から収容室内に突出するリブを設けて、リブを成形されたシール部材の側面部に接触させ、折り曲げられたシール部材の復元を阻止する電子機器を構成したものである。さらに、シール部材に透明材を用いた電子機器を構成したものである。
【００１０】
また、内壁面に突出して対向する対構造の挾持片を設け、その対構造の挾持片における対向面の等高位置に挾持溝を形成し、挾持溝により基板を挾持した基板の挾持機構を設けた電子機器を構成したものである。また、対構造の挾持片の一方の背面側に三角形の補強翼を形成すると共に、他方の背面側に凹弧状の補強翼を形成した電子機器を構成したものである。
【発明の効果】
【００１１】
本発明は以上のように構成され、シール機構を折り畳み型で構成したので、持ち運びや保管時に元の扁平な板材で処理できて取扱が非常に便利になる。特に、実施の形態のようにシール部材に透明材を用いれば、コネクタの脱落等の断線を直接視認することができ保守・点検にも都合がよい。また、筐体の側壁から収容室内に突出するリブを設けたので、折り曲げられたシール部材の復元を阻止することができる。
【００１２】
また、内壁面に突出して対向する対構造の挾持片を設けて基板を挾持したので、基板の固定をネジ無しで実施することができ、上述の表示器の固定機構と共に電子機器の全体装置の構造を一層簡単且つ軽くすることができる。また、補強翼の形状を選択して対向する挾持片の変位量に差を与えるようにして折損を防止するようにしたので、故障に伴う部品交換の手間が省かれ、予備品の個数を少なくすることもできる。
【発明を実施するための最良の形態】
【００１３】
以下、本発明の実施の形態を前述のモニタ装置に適用した場合を例示して、図面により説明する。
実施の形態１．図１は本発明の実施の形態１の構成を示す正面図、図２は図１の底面図、図３は図１の左側面図、図４は図１の背面図、図５は実施の形態１の内部構造を示す縦断面図、図６は実施の形態１の内部構造を示す横断面図である。
【００１４】
図１乃至図６において、１はモニタ装置、２はモニタ装置１の筐体である。筐体２は長方形の箱状に樹脂で成型され、内部に収容室２０を備える。２Ａは筐体２の前面側の蓋体、２Ｂは背面側の本体である。３はモニタ装置１の表示部、３Ａは表示部３の窓板、３Ｂは窓枠である。また、３Ｃは窓枠３Ｂに嵌装されたほぼ角板状の液晶表示器、４乃至７は第１乃至第４の基板である。表示部３の窓板３Ａは例えば無色透明或いは暗色半透明になっていて、窓枠３Ｂの前面に設けられている。また、第１乃至第４基板４〜７には回路部品が実装され、図５に示すように収容室２０の内部に収容されている。蓋体２Ａと本体２Ｂの成型構造が、図７〜１１に示されている。
【００１５】
２１は蓋体２Ａの蓋板、２２は蓋板２１の四辺を折り曲げて背面側に延長した周壁である。蓋板２１の表面上部寄りには対向するアリ溝３ａ（図７）が水平方向に形成されて、窓板３Ａが着脱自在に嵌合される。また、２３と２４は本体２Ｂの底板と側壁、２５は側壁２４の上端からほぼ直角に周囲に張り出したフランジ、２６はフランジ２５の前面に形成されて切欠部により部分的に欠落した周壁である。側壁２４は底板２３の左右，上下の四辺を囲んで、奥行きの容積が僅かに狭くなるように傾斜している。
【００１６】
筐体２の前面側を構成する蓋体２Ａには、液晶表示器３Ｃの背面下方にインターフェイス機能を果たすほぼ正方形の小さい第１基板４と制御機能を果たす長方形の第２基板５が平行して取り付けられる。また、入出力端子を設けた第４基板７は本体２Ｂ側の底板２３上に固定され、この第４基板７の上に電源基板を構成する第３基板６が追って説明するシール機構６０に包囲されて載置されるようになっている。
【００１７】
２７はフランジ２５の四隅に貫通した長孔、２８は本体２Ｂの上，下に設けられた配線の導出口である。長孔２７に挿入された取付用のネジで本体２Ｂのフランジ２５の裏側を住戸の壁面等を取付面９として本体２Ｂが取り付けられてから、本体２Ｂ側の周壁２６に蓋体２Ａの周壁２２が嵌め合わされて蓋体２Ａがその前面に装着されるようになっている。上述のような構造に成型された蓋体２Ａと本体２Ｂの所定の位置に、以下に説明するような表示器の取付機構や基板の挾持機構等の本発明の特徴的な機構部を備えたモニタ装置１が構成される。
【００１８】
Ｉ．表示器の取付機構
３０は液晶表示器３Ｃを蓋体２Ａに取り付けるための表示器の取付機構で、蓋体２Ａの窓枠３Ｂの付近に設けられている。３１は取付用の２つの平行したＬ字状の係止片で、表示部３の上部の窓際付近で円弧状に折り曲げられて自由端が内壁面から背面側に突出している。３２は係止片３１のそれぞれの基部の両側に形成されたスリ割、３３は窓枠３Ｂ内に爪先を突出させた係止爪である（図５等も参照）。３４は窓枠３Ｂの側面の囲み板、３５は前面側左右の受け片、３６は下部背面側の２つの鍵形片である。そして、２つの係止片３１の自由端を押し上げながら、液晶表示器３Ｃの下部を受け片３５と鍵形片３６の間に挿入して窓枠３Ｂ内に嵌入する。
【００１９】
液晶表示器３Ｃが窓枠３Ｂ内に嵌入されると、２つの可撓性を有する係止片３１が無負荷状態に復元して係止爪３３が弾性的に液晶表示器３Ｃの背面上部に接触して係止する。一方、液晶表示器３Ｃの背面に沿って配置される第２基板５の上端寄りには、係止片３１に対応して２つの挿通孔３７が設けられている（図１２参照）。そして、これらの挿通孔３７に係止片３１の自由端の先端を挿通して、第２基板５が４箇所のネジボス３８にネジ３９で固定される。この結果、２つの係止片３１の自由端が挿通孔３７内に挿通されているので、モニタ装置１に振動・衝撃が加えられても窓枠３Ｂ内の液晶表示器３Ｃの固定が緩むようなことはない。このような実施の形態１の構成によれば、直接的にネジを利用しない液晶表示器３Ｃの固定機構が実現される。
【００２０】
II．実装基板の挾持機構
４０は基板の挾持機構である。前記のように、第１基板４は実装面が狭く比較的小型で、実装された回路部品も少ないほぼ正方形の絶縁板で構成されている。基板の挾持機構４０は、このような回路基板に適用されている。詳しくは示してはいないが、４１と４２は切欠部である（図１３参照）。切欠部４１は第１基板４の左辺に２箇所設けられ、切欠部４２はその対向辺に１箇所だけ形成されている。４３と４４は幾分ずれて向かい合う対構造の挾持片で、蓋体２Ａの内壁面に切欠部４１と４２に対応するように突出していてそれよりやや狭い切欠幅に形成されている。向かい合う挾持片４３，４４の側面形状が、図１３に示されている。図に示すように、右方の挾持片４４は幾分背丈が高く作られている。４５は両側の挾持片４３，４４に同じ高さに設けられた挾持溝、４６は左の挾持片４３に形成された三角形の補強翼である。
【００２１】
また、４７は右の挾持片４４の背面側に形成された凹弧状の補強翼、４８は挾持片４４の先端付近の傾斜面である。そして、回路部品の実装後、図１３のように第１基板４をやや左下がりに傾斜させて、左側の２箇所の切欠部４１を挾持溝４５に対応させる。そのまま、右辺側を傾斜面４８に沿って滑り落とせば切欠部４２と挾持溝４５が嵌合して、第１基板４がネジ無しで挾持機構４０によって固定的に挾持される。しかも、補強翼４６と４７の形状を変えて対構造の挾持片の可撓性（弾性）に差を設けたので、一方の挾持片４４側の弾性限界内の変位量が増えて嵌合時に多少強い外力を加えても、その増加分が変位量の大きい挾持片４４によって吸収されることになる。また、他方の挾持片４３は可撓性が小さいので、変位量が少なく原位置に保持される。この結果、第１基板４が水平面内の所定の位置に挾持されると共に、挾持片４３，４４の割れや折損等がなくなり、故障に伴う部品交換の手間と予備品を省くことができる。
【００２２】
III ．実装基板のシール機構
前記のように、第４基板７は本体２Ｂ側の底板２３上に固定され、第３基板６が第４基板７の上にシール機構を介して載置されるようになっている。６０はシール機構、６１はシール機構６０における絶縁シートとしてのシール部材である。シール部材６１にはここでは透明なポリカーボネート樹脂からなる絶縁材の薄板が用いられ、具体的な展開図が図１４に示されている。６２はシール部材６１の前面部、６３は両側面部、６４は背面部、６５は上面部である。また、６６はリード線６７の導出用の切欠部、６８はミシン目等の折曲線である。シール部材６１の縦ｙ，横ｘ，高さｚの各寸法は、第３基板６の実装容積に見合う大きさに選定されている。なお、６９は本体２Ｂの左右の側壁２４に形成されたブレード状のリブで、折り曲げられたシール部材６１の復元を阻止する機能を果たす。
【００２３】
このように構成されたシール部材６１は、前面部６２を中心にして折曲線６８の位置で順次紙面の裏側に直角に折り曲げられる。２段階折曲された左右の背面部６４が裏面側に回り込み、シール部材６１による五面体のシール箱が成形されて第３基板６の下方を除く周辺が包囲される。上，下の切欠部６６からは、リード線６７が導出される。シール部材６１で包囲された第３基板６は、既に本体２Ｂの底板２３上の５つのボス上にネジで固定された第４基板７の上面に載置される。載置後、導出された上，下のリード線が、それぞれ第４基板７のコネクタに差し込まれて電気的に接続される。シール機構６０によって回路部品を実装した第３基板６のシール状態が、図５，６の２点鎖線で示されている。このような状態は、具体的には次のような手順によってなされる。つまり、まず本体２Ｂの外で、第３基板６をシール部材６１で包みこむ。次にそのままの状態で、本体２Ｂの収容室２０内に落とし込む。そうすると、両側面６３の開き具合がリブ６９によって制限されながら、底板２３上の第４基板７上に載置される。このようにして第３基板６を、立体状からなるシール部材６１によって簡単にシールすることができ、確実に第３基板６と第４基板７を絶縁することが可能となる。よって一つの筐体内に制御用の基板と電源用の基板の２枚を組み込むことが可能となる。本実施形態のシール部材６１は、何の取付手段も要せずに、基板に設けることができる点、また立体状のため基板全体を覆える点、透明なためその取付具合が確認できる点、通常時は平面状で保管される点、及び筐体のリブを利用することで平面状に戻ろうとするのを防いでいる点などにおいて顕著な効果を有するものである。
【００２４】
図６に示すように、成形後に第３基板６を実装部品毎包囲して第４基板７上に載置されたシール部材６１は、載置状態で両側面部６３の上下２箇所を側壁２４に形成されたリブ６９に接触させている。したがって、シール部材６１の折曲に伴う復元力等で、横方向に作用する拡張力が阻止される。また、外力等による収縮力は、シール部材６１で包囲された第３基板６とその実装部品によって規制される。このように、電源基板を構成する第３基板６がネジ等の固定手段を用いることなく、折曲形状が安定状態に保持された少なくとも四面体の箱型のシール部材６１により実装部品を含めて周辺がシールされて収容室２０内に収容される。折り畳み型のシール機構６０を構成したので、持ち運びや保管時に元の扁平な板材で処理できて取扱が非常に便利になる。特に、実施の形態１のようにシール部材６１に透明材を用いれば、コネクタの脱落等の断線を直接視認することができ保守・点検にも都合がよい。また、組立作業性もよくなり、背面６４の部分が第３基板６と第４基板７の間に確実に収まっているかを確認できる。
【００２５】
IV．その他の特徴この他、
本発明の実施の形態１の特徴として、次のような構成も採用されている。窓板３Ａを取り付けた蓋体２Ａの表面が、図３に示すように上下方向のほぼ中心を通る水平面上を中心軸として半径ｒの一様な円弧面で構成されている。モニタ装置１の筐体２は前述のように本体２Ｂのフランジ２５の背面を取付面９として住戸の壁面等に取り付けられて、この蓋体２Ａの周壁２２が本体２Ｂ側の周壁に嵌装されて装着されるようになっている。したがって、取付状態において筐体２の上下に薄型の感覚を与えるｒの円弧面を形成したので、優れたデザインで商品価値が高められることは勿論のこと、従来から一般的に採用される筐体の角箱型の尖った角部で怪我をするようなことも発生しない。
【００２６】
また、実施の形態１のその他の特徴として、本体２Ｂの底板２３に図１０に示すような十字状に表された複数個の支えボス７１を設けたことを挙げることができる。支えボス７１は底板２３上に固定された第４基板７に接触し、これを位置決めしながら支持する機能を果たしている。その構造は詳しい図示を省略したが、長方形の角柱に三角形の補強翼を付設したような形状になっている。したがって、円柱状のネジボス等に比べると本体２Ｂ上の占有面積が遥かに少なくなり、本体２Ｂの樹脂の成型に当たっても熱容量が小さくなり品質を落とす“ヒケ”等の発生を抑制することもできる。また、支えボス７１の第４基板７との接触面も狭い面積で済むので、第４基板の実装面積を広げることになり、結果的に装置の小型化の実現が可能になる。
【００２７】
実施の形態１のさらに、もう１つの特徴は、蓋体２Ａの本体２Ｂへの装着構造にある。本発明の蓋体２Ａの装着構造によれば筐体２の下部の周壁２２とフランジ２５に形成されたブロック状の螺送部８０Ａと螺入部８０Ｂ（図９，１０）間をネジ結合する装着ネジ８１（図２）が利用される。装着ネジ８１は螺送部８０Ａに設けられた内径の小さい保持孔８２（図８）に強制的に押し込まれて、螺送可能に保持される。一方、螺入部８０Ｂにはナット室が設けられ内部には金属の角ナット（不図示）が着脱自在に収容されている。そして、蓋体２Ａの係止爪８３（図９）を本体２Ｂの上部の孔に係止してから装着ネジ８１を角ナットに螺合して、蓋体２Ａが本体２Ｂに装着される。この装着構造によれば、１本のネジで蓋体２Ａが装着され且つ装着ネジ８１の紛失もなく、しかもブロック相互の接触により締付け過剰で薄い樹脂製の周壁２２と２６が亀裂したり変形するようなことも発生しない等の効果が生じる。
【００２８】
こうした装着構造により蓋体２Ａが本体２Ｂに装着されて、壁面等を取付面９としたモニタ装置１が住宅情報盤に付設されて住戸に設置される。各住戸に設置された本発明のモニタ装置１の実施例が、図１５の模式図で示されている。図１５において、１０は住宅情報盤、１１は玄関先のドアホン、１２はドアホン１１を介して住宅情報盤１０に接続された火災感知器、１３はガス漏れ警報器である。また、１４はカメラ付集合玄関機、１５は例えば管理室に設けられる通話・映像制御装置で、前述の多階層の集合住宅システムが構成されている。
【００２９】
そして、前述のように各階層の住戸の居住者は自宅に設置されたモニタ装置１が付設された住宅情報盤１０を利用して、来訪者の来訪内容や管理室との防犯・火災等に関して音声や映像を通した情報の授受を行なうことができるようになっている。情報交換の折りに、住戸の居住者は液晶表示器３Ｃに映し出された映像の濃淡と明暗は、前記装着ネジ８１の右側に並んだ弧状ギザの調整子８４と８５を左右に回転して調整できる。蓋体２Ａの前面右下の対応する位置に、円の外周を８個の丸点で囲んだ標識８４ａが映像の濃淡用の調整子８４側の機能を表示し、垂直方向の直径で左右に分断された半円の標識８５ａで明暗用の調整子８５側の機能が模式で端的に表されている（図１，７）。
【００３０】
なお、上述の実施の形態では本発明を壁面取付型のモニタ装置に適用した場合を例示して説明したが、内部に電子部品を収容するものであれば平面的に使用する電子機器でもよく、要するに電子機器であれば全て本発明を適用することができる。さらに、実施の形態で説明した液晶表示器やプリント基板或いはシール部材等の形状・材質・個数等についても、必ずしも実施の形態で説明した構成に限定するものではない。
【００３１】
以上説明したように、本発明によれば、内部構造が極めて簡単になって軽量化され、しかも取扱が便利になる等の種々の特長を備えてモニタ装置に好適な電子機器を提供することができる。
【図面の簡単な説明】
【００３２】
【図１】本発明の実施の形態１の構成を示す正面図である。
【図２】図１の左側面図である。
【図３】図１の底面図である。
【図４】図１の背面図である。
【図５】実施の形態１の内部構造を示す縦断面図である。
【図６】実施の形態１の内部構造を示す横断面図である。
【図７】蓋体の成型構造を示す前面図である。
【図８】図７の底面図である。
【図９】図７の背面図である。
【図１０】第２基板の平面図である。
【図１１】基板の挾持機構の動作を示す断面図である。
【図１２】本体の成型構造を示す前面図である。
【図１３】図１２の底面図である。
【図１４】シール部材の構造を示す展開図である。
【図１５】実施例の構成を示す説明図である。
【符号の説明】
【００３３】
１ モニタ装置、  ２ 筐体、  ２Ａ 蓋体、  ２Ｂ 本体、  ３ 表示部、
３Ａ 窓板、  ３ａ アリ溝、  ３Ｂ 窓枠、  ３Ｃ 液晶表示器（表示器）、
４ 第１基板、  ５ 第２基板、  ６ 第３基板、  ７ 第４基板、  ９ 取付面、
１０ 住宅情報盤、  １１ ドアホン、  １２ 火災感知器、
１３ ガス漏れ警報器、  １４ カメラ付集合玄関機、
１５ 管理室の通話・映像制御装置、  ２０ 収容室、  ２３ 底板、  ２４ 側壁、
２５ フランジ、  ２６ 周壁、  ３０ 表示器の取付機構、  ３１ 係止片、
３２ スリ割、  ３３ 係止爪、  ３７ 挿通孔、  ３８ ネジボス、  ３９ ネジ、
４０ 基板の挾持機構、  ４１，４２ 切欠部、  ４３，４４ 挾持片。
４５ 挾持溝、  ４６，４７ 補強翼、  ４８ 傾斜面、  ６０ シール機構、
６１ シール部材、  ６２ 前面部、  ６３ 側面部、  ６４ 背面部、
６５ 上面部、  ６６ 切欠部、  ６８ 折曲線、  ６９ リブ、  ７１ 支えボス、
８０Ａ 螺送部、  ８０Ｂ 螺入部、  ８１ 装着ネジ、  ８２ 保持孔、
８３ 係止爪、  ８４，８５ 調整子、  ｒ 半径、  ｙ，ｘ，ｚ 寸法
【図１】
2004304207.tif 000003
【図２】
2004304207.tif 000004
【図３】
2004304207.tif 000005
【図４】
2004304207.tif 000006
【図５】
2004304207.tif 000007
【図６】
2004304207.tif 000008
【図７】
2004304207.tif 000009
【図８】
2004304207.tif 000010
【図９】
2004304207.tif 000011
【図１０】
2004304207.tif 000012
【図１１】
2004304207.tif 000013
【図１２】
2004304207.tif 000014
【図１３】
2004304207.tif 000015
【図１４】
2004304207.tif 000016
【図１５】
2004304207.tif 000017